(57)【特許請求の範囲】
【請求項１】
複数のドライブ線及び複数の走査線と、前記ドライブ線及び前記走査線による複数の交差位置各々にて前記走査線及び前記ドライブ線間に接続された複数の容量性発光素子とを有し、
走査期間とそれに続くリセット期間とからなる所定周期のうちの前記走査期間にて前記複数のドライブ線のうちからドライブ線を選択し、前記複数の走査線のうちから順に１の走査線を選択し、選択のドライブ線に電流源を接続して前記選択のドライブ線と前記選択の１の走査線と間の容量性発光素子だけに順方向の電流を供給しかつ前記選択の１の走査線以外の走査線に逆バイアス電位を印加して前記選択のドライブ線以外のドライブ線と前記選択の１の走査線以外の走査線との間の容量性発光素子を逆バイアス状態にさせ、
前記リセット期間にて少なくとも次回の走査期間の選択のドライブ線と前記複数の走査線の全てとに同電位を与えて当該選択のドライブ線と全ての走査線との間の容量性発光素子の電荷を放電させるディスプレイ装置の駆動方法であって、
表示輝度を示す輝度情報指令に応じて前記所定周期のうちの走査期間の長さを変化させて中間輝度を含む輝度階調を付け、前記所定周期のうちの走査期間以外の期間を前記リセット期間とすることを特徴とするディスプレイ装置の駆動方法。
【請求項２】
前記リセット期間には前記複数のドライブ線の全てと前記複数の走査線の全てとにアース電位を与えることを特徴とする請求項１記載のディスプレイ装置の駆動方法。
【請求項３】
前記リセット期間には今回及び次回の走査期間の選択のドライブ線と前記複数の走査線の全てとに前記容量性発光素子の発光規定電圧に等しい電位を与え、前記今回及び次回の走査期間の選択のドライブ線以外のドライブ線にアース電位を与えることを特徴とする請求項１記載のディスプレイ装置の駆動方法。
【請求項４】
前記リセット期間には次回の走査期間の選択のドライブ線と前記複数の走査線の全てとに前記容量性発光素子の発光規定電圧に等しい電位を与え、前記次回の走査期間の選択のドライブ線以外のドライブ線にアース電位を与えることを特徴とする請求項１記載のディスプレイ装置の駆動方法。
【請求項５】
前記走査期間の長さを今回の選択のドライブ線各々で変化させ、それら互いに異なる走査期間のうちの最長の走査期間が終了してから前記リセット期間に移行することを特徴とする請求項１記載のディスプレイ装置の駆動方法。
【請求項６】
前記容量性発光素子は有機エレクトロルミネッセンス素子であることを特徴とする請求項１記載のディスプレイ装置の駆動方法。
【請求項７】
複数のドライブ線及び複数の走査線と、
前記ドライブ線及び前記走査線による複数の交差位置各々にて前記走査線及び前記ドライブ線間に接続された複数の容量性発光素子と、
走査期間とそれに続くリセット期間とからなる所定周期のうちの前記走査期間にて前記複数のドライブ線のうちからドライブ線を選択し、前記複数の走査線のうちから順に１の走査線を選択し、選択のドライブ線に電流源を接続して前記選択のドライブ線と前記選択の１の走査線と間の容量性発光素子だけに順方向の電流を供給しかつ前記選択の１の走査線以外の走査線に逆バイアス電位を印加して前記選択のドライブ線以外のドライブ線と前記選択の１の走査線以外の走査線との間の容量性発光素子を逆バイアス状態にさせる走査期間制御手段と、
前記リセット期間にて少なくとも次回の走査期間の選択のドライブ線と前記複数の走査線の全てとに同電位を与えて当該選択のドライブ線と全ての走査線との間の容量性発光素子の電荷を放電させるリセット期間制御手段と、からなるディスプレイ装置であって、
表示輝度を示す輝度情報指令に応じて前記所定周期のうちの走査期間の長さを変化させて中間輝度を含む輝度階調を付け、前記所定周期のうちの走査期間以外の期間を前記リセット期間とすることを特徴とするディスプレイ装置。
【発明の詳細な説明】
【０００１】
【発明が属する技術分野】
本発明は、有機エレクトロルミネセンス素子等の容量性発光素子ディスプレイ装置及びその駆動方法に関する。
【０００２】
【従来の技術】
低消費電力及び高表示品質並びに薄型化が可能なディスプレイとして、有機エレクトロルミネッセンス素子の複数をマトリクス状に配列して構成されるエレクトロルミネッセンスディスプレイが注目されている。該有機エレクトロルミネッセンス素子は、図１に示すように、透明電極１０１が形成されたガラス板などの透明基板１００上に、電子輸送層、発光層、正孔輸送層などからなる少なくとも１層の有機機能層１０２、及び金属電極１０３が積層されたものである。透明電極１０１の陽極にプラス、金属電極１０３の陰極にマイナスの電圧を加え、すなわち、透明電極及び金属電極間に直流を印加することにより、有機機能層１０２が発光する。良好な発光特性を期待することのできる有機化合物を有機機能層に使用することによって、エレクトロルミネッセンスディスプレイが実用に耐えうるものになっている。
【０００３】
有機エレクトロルミネッセンス素子（以下、単に素子ともいう）は、電気的には、図２のような等価回路にて表すことができる。図から分かるように、素子は、容量成分Ｃと、該容量成分に並列に結合するダイオード特性の成分Ｅとによる構成に置き換えることができる。よって、有機エレクトロルミネッセンス素子は、容量性の発光素子であると考えられる。有機エレクトロルミネッセンス素子は、直流の発光駆動電圧が電極間に印加されると、電荷が容量成分Ｃに蓄積され、続いて当該素子固有の障壁電圧または発光閾値電圧を越えると、電極（ダイオード成分Ｅの陽極側）から発光層を担う有機機能層に電流が流れ始め、この電流に比例した強度で発光する。
【０００４】
かかる素子の電圧Ｖ−電流Ｉ−輝度Ｌの特性は、図３に示すように、ダイオードの特性に類似しており、発光閾値Ｖth以下の電圧では電流Ｉはきわめて小さく、発光閾値Ｖth以上の電圧になると電流Ｉは急激に増加する。また、電流Ｉと輝度Ｌはほぼ比例する。このような素子は、発光閾値Ｖthを超える駆動電圧を素子に印加すれば当該駆動電圧に応じた電流に比例した発光輝度を呈し、印加される駆動電圧が発光閾値Ｖth以下であれば駆動電流が流れず発光輝度もゼロに等しいままである。
【０００５】
かかる有機エレクトロルミネッセンス素子の複数を用いた表示パネルの駆動方法としては、単純マトリクス駆動方式が適用可能である。図４に単純マトリクス表示パネルの一例の構造を示す。n個の陰極線（金属電極）Ｂ1 〜Ｂnを横方向に、m個の陽極線（透明電極）Ａ1 〜Ａmを縦方向に平行に伸長して設けられ、各々の交差した部分（計n×m個）に有機エレクトロルミネッセンス素子Ｅ1,1 〜Ｅm,n の発光層を挟む。画素を担う素子Ｅ1,1 〜Ｅm,n は、格子状に配列され、垂直方向に沿う陽極線Ａ1 〜Ａm と水平方向に沿う陰極線Ｂ1 〜Ｂn との交差位置に対応して一端（上記の等価回路のダイオード成分Ｅの陽極線側）が陽極線に、他端（上記の等価回路のダイオード成分Ｅの陰極線側）が陰極線に接続される。陰極線は陰極線走査回路１に接続されて駆動、陽極線は陽極線ドライブ回路２に接続されてそれぞれ駆動される。
【０００６】
陰極線走査回路１は、各陰極線の電位を個々に定める陰極線Ｂ1 〜Ｂnに対応する走査スイッチ５1 〜５nを有し、個々が、電源電圧から得られる逆バイアス電位ＶCC（例えば１０Ｖ）及びアース電位（０Ｖ）のうちのいずれか一方を、対応する陰極線に接続する。
陽極線ドライブ回路２は、各陽極線を通じて駆動電流を素子個々に供給する陽極線Ａ1 〜Ａmに対応した電流源２1 〜２m（例えば定電流源）及びドライブスイッチ６1 〜６mを有し、ドライブスイッチが電流を個々に陽極線に流すオンオフ制御するように構成される。駆動源は定電圧源等の電圧源を用いることも可能であるが、上述した電流−輝度特性が温度変化に対して安定しているのに対し電圧−輝度特性が温度変化に対して不安定であること等の理由により、電流源（供給電流量が所望の値となるように制御される電源回路）を用いるのが一般的である。電流源２1〜２mの供給電流量は、素子が所望の瞬時輝度で発光する状態（以下、この状態を定常発光状態と称する。）を維持するために必要な電流量とされる。また、素子が定常発光状態にある時は、上述した素子の容量成分Ｃには供給電流量に応じた電荷が充電されているため、素子の両端電圧は瞬時輝度に対応した規定値Ｖｅ（以下、これを発光規定電圧と称する。）となる。
【０００７】
陽極線はまた、陽極線リセット回路３に接続される。この陽極線リセット回路３は、陽極線毎に設けられたシャントスイッチ７1 〜７m を有し、該シャントスイッチが選択されることによって陽極線をアース電位に設定する。
陰極線走査回路１、陽極線ドライブ回路２及び陽極線リセット回路３は発光制御回路４に接続される。
【０００８】
発光制御回路４は、図示せぬ画像データ発生系から供給された画像データに応じて当該画像データが担う画像を表示させるべく陰極線走査回路１、陽極線ドライブ回路２及び陽極線リセット回路３を制御する。発光制御回路４は、陰極線走査回路１に対して、走査線選択制御信号を発生し、画像データの水平走査期間に対応する陰極線のいずれかを選択してアース電位に設定し、その他の陰極線は逆バイアス電位ＶCCが印加されるように走査スイッチ５1 〜５n を切り換える制御を行う。逆バイアス電位ＶCCは、ドライブされている陽極線と走査選択がされていない陰極線との交点に接続された素子がクロストーク発光することを防止するために、陰極線に接続される定電圧源によって印加されるものであり、逆バイアス電位ＶCC＝発光規定電圧Ｖｅと設定されるのが一般的である。走査スイッチ５1 〜５n が水平走査期間毎に順次アース電位に切り換えられるので、アース電位に設定された陰極線は、その陰極線に接続された素子を発光可能とする走査線として機能することとなる。
【０００９】
陽極線ドライブ回路２は、かかる走査線に対して発光制御を行う。発光制御回路４は、画像データが示す画素情報に従って当該走査線に接続されている素子のどれをどのタイミングでどの程度の時間に亘って発光させるかについてを示すドライブ制御信号（駆動パルス）を発生し、陽極線ドライブ回路２に供給する。陽極線ドライブ回路２は、このドライブ制御信号に応じて、ドライブスイッチ６1 〜６m のいくつかをオンオフ制御し、陽極線Ａ1 〜Ａm を通じて画素情報に応じた該当素子への駆動電流の供給をなす。これにより、駆動電流の供給された素子は、当該画素情報に応じた発光をなすこととなる。
【００１０】
陽極線リセット回路３のリセット動作は、発光制御回路４からのリセット制御信号に応じて行われる。陽極線リセット回路３は、リセット制御信号が示すリセット対象の陽極線に対応するシャントスイッチ７1 〜７m のいずれかをオンしそれ以外はオフとする。
本願と同一の出願人による特開平９−２３２０７４号公報には、単純マトリクス表示パネルにおける、走査線を切り換える直前に格子状に配された各素子の蓄積電荷を放出させるリセット動作を行う駆動法（以下、リセット駆動法と呼ぶ）が開示されている。このリセット駆動法は、走査線を切り換えた際の素子の発光立上りを早めるものである。この単純マトリクス表示パネルのリセット駆動法について図４〜図６を参照して説明する。
【００１１】
なお、以下に述べる図４〜図６に示す動作は、陰極線Ｂ1 を走査して素子Ｅ1,1及びＥ2,1を光らせた後、陰極線Ｂ2 に走査を移して素子Ｅ2,2 及びＥ3,2 を光らせる場合を例に挙げたものである。また、説明を分かり易くするために、光っている素子はダイオード記号にて示され、光っていない発光素子はコンデンサ記号にて示される。また、陰極線Ｂ1 〜Ｂn に印加される逆バイアス電位ＶCCは、素子の発光規定電圧Ｖｅと同じ１０Ｖとされている。
【００１２】
先ず、図４においては、走査スイッチ５1のみが０Ｖのアース電位側に切り換えられ、陰極線Ｂ1 が走査されている。他の陰極線Ｂ2 〜Ｂn には、走査スイッチ５2 〜５n により逆バイアス電位ＶCCが印加されている。同時に、陽極線Ａ1 及びＡ2 には、ドライブスイッチ６1 及び６2 によって電流源２1 及び２2 が接続されている。また、他の陽極線Ａ3 〜Ａm には、シャントスイッチ７3 〜７m によって０Ｖのアース電位側に切り換えらている。したがって、図４の場合、素子Ｅ1,1 とＥ2,1 のみが順方向にバイアスされ、電流源２1 及び２2 から矢印のように駆動電流が流れ込み、素子Ｅ1,1 及びＥ2,1 のみが発光することとなる。この状態においては、ハッチングして示される非発光の素子Ｅ3,2〜Ｅm,nは、それぞれ図示の如き極性に充電されることとなる。
【００１３】
この図４の定常発光状態から、次の素子Ｅ2,2 及びＥ3,2 の発光をなす状態に走査を移行する直前に、以下のようなリセット制御が行われる。すなわち、図５に示すように全てのドライブスイッチ６1 〜６m を開放するとともに、全ての走査スイッチ５1 〜５n と全てのシャントスイッチ７1 〜７m を０Ｖのアース電位側に切り換え、陽極線Ａ1 〜Ａm と陰極線Ｂ1 〜Ｂn の全てを一旦０Ｖのアース電位側にシャントし、オールリセットを掛ける。このオールリセットが行われると、陽極線と陰極線の全てが０Ｖの同電位となるので、各素子に充電されていた電荷は図中の矢印で示すようなルートを通って放電し、全ての素子の充電電荷が瞬時のうちに無くなる。
【００１４】
このようにして全ての素子の充電電荷をゼロにした後、今度は図６に示すように、陰極線Ｂ2 に対応する走査スイッチ５2 のみを０Ｖ側に切り換え、陰極線Ｂ2 の走査を行う。これと同時に、ドライブスイッチ６2 及び６3 を閉じて電流源２2 及び２3 を対応の陽極線に接続せしめるとともに、シャントスイッチ７1 ，７4 〜７m をオンとし、陽極線Ａ1 ，Ａ4 〜Ａm に０Ｖを与える。
【００１５】
このように、上記リセット駆動法の発光制御は、陰極線Ｂ1 〜Ｂn のうちのいずれかをアクティブにする期間である走査モードと、これに後続するリセットモードとの繰り返しである。かかる走査モードとリセットモードは、画像データの１水平走査期間（１Ｈ）毎に行われる。仮にリセット制御をせずに、図４の状態から図６の状態に直接移行したとすると、例えば、電流源２3から供給される駆動電流は、素子Ｅ3,2に流れ込むだけではなく、素子Ｅ3,3〜Ｅ3,nに充電された逆方向電荷（図４に図示）のキャンセルにも費やされるため、素子Ｅ3,2を定常発光状態にする（素子Ｅ3,2の両端電圧を発光規定電圧Ｖｅにする）には時間を要することとなる。
【００１６】
しかしながら、上述したリセット制御を行うと、陰極線Ｂ2の走査に切り換わった瞬間において、陽極線Ａ2及びＡ3の電位は約ＶCCとなるため、次に発光させるべき素子Ｅ2,2及びＥ3,2には、電流源２2及び２3だけではなく陰極線Ｂ1、Ｂ3〜Ｂnに接続された定電圧源からの複数のルートからも充電電流が流れ込み、この充電電流によって寄生容量が充電されて発光規定電圧Ｖｅまで瞬時に達し定常発光状態に瞬時に移行できる。その後、陰極線Ｂ2の走査期間内においては上述したように電流源から供給される電流量は素子が発光規定電圧Ｖｅでの定常発光状態を維持できるだけの電流量とされているので、電流源２2及び２3から供給される電流は素子Ｅ2,2及びＥ3,2のみに流れ込み、すべてが発光に費やされる。すなわち図６に示される発光状態を持続する。
【００１７】
以上述べたように、従来のリセット駆動法によれば、次の走査線の発光制御に移行する前に、陰極線と陽極線の全てが一旦アース電位である０Ｖ又は逆バイアス電位ＶCCの同電位に接続されてリセットされるので、次の走査線に切り換えられた際に、発光規定電圧Ｖｅまでの充電を速くし、切り換えられた走査線上の発光すべき素子の発光の立上りを早くすることができる。
【００１８】
また、図４〜図６に示す動作における陰極線及び陽極線の電圧レベルをタイミングチャートで示すと図７となる。走査期間ｊにおいては陰極線Ｂ1と陽極線Ａ1，Ａ2の交点上の素子は、その両端電圧が陽極線電圧レベルＶAA（図４〜図６においてはＶｅと等しい）となってこの陽極線電圧レベルＶAAに対応した輝度で発光し、次の走査期間ｊ＋１においては陰極線Ｂ2と陽極線Ａ2，Ａ3の交点上の素子は、その両端電圧が陽極線電圧レベルＶAA（図４〜図６においてはＶｅと等しい）となってこの陽極線電圧レベルＶAAに対応した輝度で発光する。
【００１９】
上述した従来のリセット駆動法を用いる発光ディスプレイにおいて、輝度調整を行う場合は、マトリクスディスプレイの一般的な輝度調整の方法を適用して行っている。すなわち、図７に示すように、発光時の素子の両端電圧レベルを一定値（すなわち、素子の瞬時輝度一定、駆動電流一定）として、走査期間の範囲で陽極線への駆動源の接続時間を変化させることにより、各素子の発光輝度を調整する方法（パルス幅変調方法）がある。
【００２０】
すなわち、各走査期間内の駆動時間の長短によって輝度階調（ディマ）を付けると、図７の走査期間ｊはその期間の最後まで発光状態を持続するので、輝度が最大となるディマ１００％の場合であり、走査期間ｊ＋１はその期間の半分の時点まで発光状態を持続するので、ディマ５０％の場合であり、走査期間ｊ＋２はその期間の８０パーセントの時点まで発光状態を持続するので、ディマ８０％の場合である。
【００２１】
【発明が解決しようとする課題】
ディマ１００％以外の走査期間内においては図４に示したディマパーセント分の動作後、リセット期間に移行するまでの間に、図８に示すように接地動作が行われる。すなわち、ドライブスイッチ６1 及び６2がオフとされ、同時に全てのシャントスイッチ７1 〜７m が０Ｖのアース電位側に切り換えられる。これにより、全ての陽極線Ａ1 〜Ａm がアース電位となる。陰極線Ｂ1はアース電位のままであるので、素子Ｅ1,1及びＥ2,1に充電されていた電荷は図中の矢印で示すようなルートを通って放電し、素子Ｅ1,1及びＥ2,1の充電電荷が瞬時のうちに無くなる。陰極線Ｂ2 〜Ｂnは走査スイッチ５2 〜５n により逆バイアス電位ＶCCが印加された状態のままであるので、この状態においては、図８にハッチングして示される非発光の素子Ｅ1,2〜Ｅ1,n，Ｅ2,2〜Ｅ2,n，……，Ｅm,2〜Ｅm,nは、それぞれ図示の如き極性に充電される又はその極性で充電状態を維持することとなる。その後、リセット期間になると、図５に示した動作が実行される。
【００２２】
ディマ１００％のＢ1走査期間では図９(a)に示すように、陰極線Ｂ1 を走査して素子Ｅ1,1及びＥ2,1を光らせた後、リセット期間、そして次のＢ2走査期間で陰極線Ｂ2 に走査を移して素子Ｅ2,2 及びＥ3,2 を光らせる場合に、リセット期間においては[２＋(ｍ−２)(ｎ−１)]ｅの電荷の放出が生じる。Ｂ2走査期間では[２＋(ｍ−２)(ｎ−１)]ｅの電荷の充電が行われる。ここで、分かり易くするためにｍ＝４とすると、リセット期間における電荷の放出量は２ｎｅ、Ｂ2走査期間の電荷の充電量は２ｎｅとなる。
【００２３】
ディマ５０％のＢ1走査期間では図９(b)に示すように、陰極線Ｂ1 を走査して素子Ｅ1,1及びＥ2,1を光らせる発光動作と、上記したようにシャントスイッチ７1 〜７mによって接地させる接地動作とが５０％ずつ順に行われた後、リセット期間、そして次のＢ2走査期間で陰極線Ｂ2 に走査を移して素子Ｅ2,2 及びＥ3,2を光らせる。この場合に、Ｂ1走査期間内の接地動作においては、２ｅの電荷の放電と、(ｍ−２)(ｎ−１)ｅの電荷の充電とが行われる。そして、リセット期間においては(ｍ−２)(ｎ−１)ｅの電荷の放出が生じる。Ｂ2走査期間では[２＋(ｍ−２)(ｎ−１)]ｅの電荷の充電が同様に行われる。ｍ＝４とすると、Ｂ1走査期間内の接地動作における電荷の充電量は２(ｎ−１)ｅ、リセット期間における電荷の放出量は２(ｎ−１)ｅ、Ｂ2走査期間の電荷の充電量は２ｎｅとなる。
【００２４】
このようにディマ１００％の最大輝度よりもディマ５０％のように走査期間内に接地動作が含まれた中間輝度をとる場合の方が無効な電力消費が大となってしまうという問題点があった。
そこで、本発明の目的は、階調表示で中間輝度の場合に電力消費を低減させることができる容量性発光素子ディスプレイ装置及びその駆動方法を提供することである。
【００２５】
【課題を解決するための手段】
本発明の容量性発光素子ディスプレイ装置の駆動方法は、複数のドライブ線及び複数の走査線と、ドライブ線及び走査線による複数の交差位置各々にて走査線及びドライブ線間に接続された複数の容量性発光素子を有し、走査期間とそれに続くリセット期間とからなる所定周期のうちの走査期間にて複数のドライブ線のうちからドライブ線を選択し、複数の走査線のうちから順に１の走査線を選択し、選択のドライブ線に電流源を接続して選択のドライブ線と選択の１の走査線と間の容量性発光素子だけに順方向の電流を供給しかつ選択の１の走査線以外の走査線に逆バイアス電位を印加して選択のドライブ線以外のドライブ線と選択の１の走査線以外の走査線との間の容量性発光素子を逆バイアス状態にさせ、リセット期間にて少なくとも次回の走査期間の選択のドライブ線と複数の走査線の全てとに同電位を与えて当該選択のドライブ線と全ての走査線との間の容量性発光素子の電荷を放電させるディスプレイ装置の駆動方法であって、表示輝度を示す輝度情報指令に応じて所定周期のうちの走査期間の長さを変化させて中間輝度を含む輝度階調を付け、所定周期のうちの走査期間以外の期間をリセット期間とすることを特徴としている。
【００２６】
また、本発明の容量性発光素子ディスプレイ装置は、複数のドライブ線及び複数の走査線と、ドライブ線及び走査線による複数の交差位置各々にて走査線及びドライブ線間に接続された複数の容量性発光素子と、走査期間とそれに続くリセット期間とからなる所定周期のうちの走査期間にて複数のドライブ線のうちからドライブ線を選択し、複数の走査線のうちから順に１の走査線を選択し、選択のドライブ線に電流源を接続して選択のドライブ線と選択の１の走査線と間の容量性発光素子だけに順方向の電流を供給しかつ選択の１の走査線以外の走査線に逆バイアス電位を印加して選択のドライブ線以外のドライブ線と選択の１の走査線以外の走査線との間の容量性発光素子を逆バイアス状態にさせる走査期間制御手段と、リセット期間にて少なくとも次回の走査期間の選択のドライブ線と複数の走査線の全てとに同電位を与えて当該選択のドライブ線と全ての走査線との間の容量性発光素子の電荷を放電させるリセット期間制御手段と、からなるディスプレイ装置であって、表示輝度を示す輝度情報指令に応じて所定周期のうちの走査期間の長さを変化させて中間輝度を含む輝度階調を付け、所定周期のうちの走査期間以外の期間をリセット期間とすることを特徴としている。
【００２７】
【発明の実施の形態】
以下、本発明の実施例を図面を参照しつつ詳細に説明する。
図１０は容量性発光素子として有機エレクトロルミネッセンス素子を用いた本発明の一実施例によるディスプレイ装置の概略的な構成を示している。このディスプレイ装置は、容量性発光パネル１１と発光制御回路１２とを有する。
【００２８】
発光パネル１１において、図４〜図６及び図８に示したものと同様に、複数の有機エレクトロルミネッセンス素子Ｅi,j（１≦ｉ≦m，１≦ｊ≦n）は、ドライブ線の陽極線Ａ1 〜Ａm及び走査線の陰極線Ｂ1 〜Ｂnの複数の交差位置にマトリクス状に配置されかつ走査線及びドライブ線間に接続されている。すなわち、有機エレクトロルミネッセンス素子は、略平行に伸長した複数のドライブ線及び各々がドライブ線に略垂直で略平行に伸長した複数の走査線の各交差位置に配置されかつ走査線及びドライブ線に接続されている。
【００２９】
発光パネル１１には、走査線を異なる電位例えばアース電位及び逆バイアス電位のいずれか一方に接続自在とする走査スイッチ手段である陰極線走査回路１３と、ドライブ線をアース電位及び逆バイアス電位の少なくとも一方又は駆動源に接続自在とする駆動スイッチ手段である陽極線ドライブ回路１４とが接続されている。陰極線走査回路１３は図４〜図６及び図８に示したものと同様に構成されているが、陽極線ドライブ回路１４は図４〜図６及び図８に示した陽極線リセット回路３の機能も含まれている。
【００３０】
図１２〜図１４に示すように、陰極線走査回路１３は、陰極線Ｂ1 〜Ｂn分の走査スイッチ１５1 〜１５nを有し、個々が、電源電圧からなる逆バイアス電位ＶCC及びアース電位のうちのいずれか一方を、対応する陰極線に与える。陽極線ドライブ回路１４は、陽極線Ａ1 〜Ａmに対応した電流源１７1 〜１７m及びアース電位のいずれか一方に切り換えるドライブスイッチ１６1 〜１６mを有し、ドライブスイッチ１６1 〜１６mが電流を個々に陽極線に流すように切り換え制御する。
【００３１】
陰極線走査回路１３及び陽極線ドライブ回路１４は発光制御回路１２に接続される。
発光制御回路１２は、図示せぬ画像データ発生系から供給された画像データに応じて当該画像データが担う画像を表示させるべく陰極線走査回路１３び陽極線ドライブ回路１４を制御する。発光制御回路１２は、陰極線走査回路１３に対して、走査線選択制御信号を発生し、画像データの水平走査期間に対応する陰極線Ｂ1 〜Ｂnのうちのいずれか１を選択してアース電位に設定し、その他の陰極線は逆バイアス電位ＶCCが印加されるように走査スイッチ１５1 〜１５n を切り換える制御を行う。逆バイアス電位ＶCCは、ドライブされている陽極線と走査選択がされていない陰極線との交点に接続された素子がクロストーク発光することを防止するために、陰極線に接続される定電圧源によって印加される。走査スイッチ１５1 〜１５nが水平走査期間毎に順次アース電位に切り換えられるので、アース電位に設定された陰極線Ｂ1 〜Ｂnは、その陰極線に接続された素子を発光可能とする走査線として機能することとなる。
【００３２】
また、発光制御回路１２は、画像データが示す画素情報に従って走査線に接続されている素子のどれをどのタイミングでどの程度の時間に亘って発光させるかについてを示すドライブ制御信号（駆動パルス）を発生し、陽極線ドライブ回路１４に供給する。陽極線ドライブ回路１４は、このドライブ制御信号に応じて、ドライブスイッチ１６1 〜１６m のうちの発光対応するものを電流源側に切り換え制御し、陽極線Ａ1 〜Ａmのうちの対応する陽極線を通じて画素情報に応じた該当素子への駆動電流の供給をなし、それ以外の陽極線に対してはドライブスイッチを介したアース電位の供給をなす。
【００３３】
発光制御回路１２には輝度操作部１８が接続されている。輝度操作部１８は発光パネル１１の表示輝度を調整するために操作可能にされており、ユーザの操作位置に応じた輝度情報（ディマのパーセント）を発光制御回路１２に出力する。発光制御回路１２における容量性発光パネルの駆動方法を、図１１のフローチャートに基づいて説明する。
【００３４】
発光制御回路１２は、供給される画素データの１水平走査期間毎に発光制御ルーチンを実行する。発光制御ルーチンにおいては、先ず、１水平走査期間分の画素データを取り込み（ステップＳ１）、輝度操作部１８から輝度情報を取り込む（ステップＳ２）。そして、取り込んだ１水平走査期間分の画素データが示す画素情報に応じて走査選択制御信号及びドライブ制御信号を発生する（ステップＳ３）。
【００３５】
走査選択制御信号は陰極線走査回路１３に供給される。陰極線走査回路１３は走査選択制御信号が示す今回の水平走査期間に対応する陰極線Ｂ1 〜Ｂnのうちの１の陰極線をアース電位に設定するためにその１の陰極線に対応する走査スイッチ（１５1 〜１５nのうちの１の走査スイッチ１５S、なお、Ｓは１〜ｎのうちの１）をアース側に切り換える。その他の陰極線には逆バイアス電位ＶCCを印加するために走査スイッチ（１５1 〜１５nのうちの１の走査スイッチ１５i以外の全て）をアース側に切り換える。
【００３６】
ドライブ制御信号は陽極線ドライブ回路１４に供給される。陽極線ドライブ回路１４はドライブ制御信号が示す今回の水平走査期間内で陽極線Ａ1 〜Ａmのうちの発光駆動すべき素子を含む陽極線に対応するドライブスイッチ（１６1 〜１６mのうちのいずれかのドライブスイッチ）を電流源（１７1 〜１７mのうちの対応するもの）側に切り換える。その他の陽極線はアース側に切り換えられる。これにより、例えば、ドライブスイッチ１６1が電流源１７1側に切り換えられた場合には電流源１７1からドライブスイッチ１６1、陽極線Ａ1、素子Ｅ1,S、陰極線ＢS、走査スイッチ１５S、そしてアースへと駆動電流が流れ、駆動電流の供給された素子Ｅ1,Sは、当該画素情報に応じた発光をなすこととなる。
【００３７】
発光制御回路１２は、ステップＳ３の実行後、取り込んだ輝度情報に応じた駆動時間が経過したか否かを判別する（ステップＳ４）。予め定められた水平走査期間Ｔに対して、取り込んだ輝度情報が示すディマのパーセント分の長さが駆動時間となる。例えば、取り込んだ輝度情報がディマ１００％を示す場合には走査期間Ｔの長さがそのまま駆動時間となり、ディマ５０％を示す場合には走査期間の半分Ｔ／２の長さが駆動時間となる。この駆動時間内においてはステップＳ３の走査選択制御信号及びドライブ制御信号の発生によって駆動された素子の発光が継続される。また、駆動時間の計測は図示しない内部カウンタによって実行される。
【００３８】
駆動時間が経過した場合には発光制御回路１２はリセット信号を生成する（ステップＳ５）。リセット信号は陰極線走査回路１３及び陽極線ドライブ回路１４に供給される。陰極線走査回路１３はリセット信号に応じて全ての走査スイッチ１５1 〜１５nの可動接点をアース側固定接点に切り換える。陽極線ドライブ回路１４はリセット信号に応じて全てのドライブスイッチ１６1 〜１６nの可動接点をアース側固定接点に切り換える。これにより全ての素子Ｅi,jの両端がアース電位となり、蓄電されていた素子の電荷は放電させることになる。
【００３９】
発光制御回路１２はステップＳ５の実行を終了すると、発光制御ルーチンを終了し、次の水平走査期間が開始されるまで待機することになる。この次の水平走査期間が開始されるまで間においてもステップＳ５によるリセット動作が継続される。次の水平走査期間が開始されると、上記のステップＳ１〜Ｓ５の動作が繰り返される。
【００４０】
次に、かかる発光制御回路１２の制御動作によって陰極線Ｂ1 を走査して素子Ｅ1,1及びＥ2,1を光らせた後、陰極線Ｂ2 に走査を移して素子Ｅ2,2 及びＥ3,2 を光らせる場合について図１２〜図１４を参照しつつ説明する。このときの輝度操作部１８から得られた輝度情報がディマ５０％を示すとする。また、図１２〜図１４においては図４〜図６の場合と同様に説明を分かり易くするために、光っている素子はダイオード記号にて示され、光っていない発光素子はコンデンサ記号にて示される。
【００４１】
先ず、図１２においては、走査スイッチ１５1のみが０Ｖのアース電位側に切り換えられ、陰極線Ｂ1 が走査されている。他の陰極線Ｂ2 〜Ｂn には、走査スイッチ１５2 〜１５n により逆バイアス電位ＶCCが印加されている。同時に、陽極線Ａ1 及びＡ2 には、ドライブスイッチ１６1 及び１６2 によって電流源１７1 及び１７2 が接続されている。また、他の陽極線Ａ3 〜Ａmは、ドライブスイッチ１６3 〜１６mによって０Ｖのアース電位側に切り換えらている。従って、図１２の場合、素子Ｅ1,1 とＥ2,1のみが順方向にバイアスされ、電流源１７1 及び１７2 から矢印のように駆動電流が流れ込み、素子Ｅ1,1及びＥ2,1のみが発光することとなる。この発光状態においては、ハッチングして示される非発光の素子Ｅ3,2〜Ｅm,nは、それぞれ図示の如き極性に充電されることとなる。また、この発光状態は走査期間Ｔの半分の長さの駆動時間Ｔ／２だけ継続される。
【００４２】
この図１２の定常発光状態から駆動時間Ｔ／２が経過すると、次の素子Ｅ2,2 及びＥ3,2 の発光をなす状態に走査を移行する前に、リセット制御が行われる。図１３に示すように全てのドライブスイッチ１６1 〜１６m 及び全て走査スイッチ１５1 〜１５nが０Ｖのアース電位側に切り換えられ、陽極線Ａ1 〜Ａm と陰極線Ｂ1 〜Ｂnの全てが０Ｖのアース電位に等しくされる。このリセット制御により、陽極線と陰極線の全てが０Ｖの同電位となるので、各素子に充電されていた電荷は図中の矢印で示すようなルートを通って放電し、全ての素子の充電電荷が瞬時のうちに無くなる。
【００４３】
このようにして全ての素子の充電電荷をゼロにした後、次の水平走査期間が開始されると、今度は図１４に示すように、陰極線Ｂ2 に対応する走査スイッチ１５2のみが０Ｖ側に切り換えられ、陰極線Ｂ2の走査が行われる。これと同時に、ドライブスイッチ１６2及び１６3が電流源１７2及び１７3側に切り換えられて対応の陽極線に接続されるとともに、他のドライブスイッチ１６1，１６4〜１６mはアース電位側に切り換えられたままとなり、陽極線Ａ1，Ａ4〜Ａmに０Ｖを与える。従って、図１４の場合、素子Ｅ2,2及びＥ3,2のみが順方向にバイアスされ、電流源１７2及び１７3から矢印のように駆動電流が流れ込み、素子Ｅ2,2及びＥ3,2のみが発光することとなる。この発光状態においては、ハッチングして示される非発光の素子Ｅ1,1、Ｅ1,3〜Ｅ1,n、Ｅ4,1〜Ｅm,1、Ｅ4,3〜Ｅm,nは、それぞれ図示の如き極性に充電されることとなる。
【００４４】
ディマ５０％のＢ1走査期間では図１５に示すように、陰極線Ｂ1 を走査して素子Ｅ1,1及びＥ2,1を光らせる発光動作が駆動時間Ｔ／２だけ行われ、その後はリセット期間となる。リセット期間では、上記したように全ての素子の両端がアース電位に等しくされる。リセット期間は次のＢ2走査期間が開始されるまで継続される。Ｂ2走査期間では陰極線Ｂ2 に走査を移して素子Ｅ2,2 及びＥ3,2 を光らせる。この場合に、Ｂ1走査期間からリセット期間に移行すると、[２＋(ｍ−２)(ｎ−１)]ｅの電荷の放出が生じる。Ｂ2走査期間では[２＋(ｍ−２)(ｎ−１)]ｅの電荷の充電が同様に行われる。分かり易くするためにｍ＝４とすると、リセット期間における電荷の放出量は２ｎｅ、Ｂ2走査期間の電荷の充電量は２ｎｅとなる。すなわち、図１２〜図１４の動作によって全体として４ｎｅの電荷消費となり、従来のリセット駆動法に比べて電荷消費を低減させることができる。
【００４５】
図１６〜図１８は本発明の他の実施例を示している。この実施例においてディスプレイ装置の陽極線ドライブ回路１４内の各ドライブスイッチ１６1 〜１６mは、３つの固定接点を有している。第１の固定接点にはバイアス電位ＶCCが印加され、第２の固定接点には電流源（１７1 〜１７mのうちのいずれか１）が接続され、第３の固定接点はアース接続されている。発光制御回路１２からのドライブ制御信号又はリセット信号に応じて各ドライブスイッチ１６1 〜１６mの可動接点は第１〜第３の固定接点のいずれか１と接続される。その他の構成は図１０及び図１２〜図１４に示した構成と同様である。
【００４６】
また、図１６〜図１８には、発光制御回路１２の制御動作によって陰極線Ｂ1 を走査して素子Ｅ1,1及びＥ2,1を光らせた後、陰極線Ｂ2 に走査を移して素子Ｅ2,2 及びＥ3,2 を光らせる場合のＢ1走査期間、リセット期間及びＢ2走査期間各々の動作状態が示されている。このときの輝度操作部１８から得られた輝度情報がディマ５０％であるとしている。次に、この動作状態について説明する。
【００４７】
先ず、図１６においては、走査スイッチ１５1のみが０Ｖのアース電位側に切り換えられ、陰極線Ｂ1 が走査されている。他の陰極線Ｂ2 〜Ｂn には、走査スイッチ１５2 〜１５n により逆バイアス電位ＶCCが印加されている。同時に、陽極線Ａ1 及びＡ2 には、ドライブスイッチ１６1 及び１６2 によって電流源１７1 及び１７2 が接続されている。また、他の陽極線Ａ3 〜Ａmは、ドライブスイッチ１６3 〜１６mによって０Ｖのアース電位側に切り換えらている。従って、図１６の場合、素子Ｅ1,1 とＥ2,1のみが順方向にバイアスされ、電流源１７1 及び１７2 から矢印のように駆動電流が流れ込み、素子Ｅ1,1及びＥ2,1のみが発光することとなる。この発光状態においては、ハッチングして示される非発光の素子Ｅ3,2〜Ｅm,nは、それぞれ図示の如き極性に充電されることとなる。また、この発光状態は走査期間Ｔの半分の長さの駆動時間Ｔ／２だけ継続される。
【００４８】
この図１６の定常発光状態から駆動時間Ｔ／２が経過すると、次の素子Ｅ2,2 及びＥ3,2 の発光をなす状態に走査を移行する前に、リセット制御が行われる。図１７に示すようにドライブスイッチ１６1 〜１６3がバイアス電位ＶCCを陽極線Ａ1 〜Ａ3に印加するように切り換えられ、その他のドライブスイッチ１６4 〜１６mはそのままアース電位を陽極線Ａ4〜Ａmに中継供給する。一方、全ての走査スイッチ１５1 〜１５nが逆バイアス電位ＶCC側に切り換えられる。陽極線Ａ1 〜Ａ3と陰極線Ｂ1 〜Ｂnの全てが電位ＶCCに等しくされる。このリセット制御により、素子Ｅ1,1〜Ｅ3,nの両端がＶCCの同電位となるので、各素子Ｅ1,1、Ｅ2,1、及びＥ3,2〜Ｅ3,nに充電されていた電荷は図中の矢印で示すようなルートを通って放電し、それら素子の充電電荷が瞬時のうちに無くなる。素子Ｅ4,2〜Ｅm,nの充電状態は継続される。
【００４９】
このようなリセット期間の後、次の水平走査期間が開始されると、今度は図１８に示すように、陰極線Ｂ2 に対応する走査スイッチ１５2のみが０Ｖ側に切り換えられ、陰極線Ｂ2の走査が行われる。これと同時に、ドライブスイッチ１６2及び１６3が電流源１７2及び１７3側に切り換えられて対応の陽極線に接続されるとともに、他のドライブスイッチ１６1，１６4〜１６mはアース電位側に切り換えられ、陽極線Ａ1，Ａ4〜Ａmに０Ｖを与える。従って、図１８の場合、素子Ｅ2,2及びＥ3,2のみが順方向にバイアスされ、電流源１７2及び１７3から矢印のように駆動電流が流れ込み、素子Ｅ2,2及びＥ3,2のみが発光することとなる。この発光状態においては、ハッチングして示される非発光の素子Ｅ1,1、Ｅ1,3〜Ｅ1,n、Ｅ4,1〜Ｅm,1、Ｅ4,3〜Ｅm,nは、それぞれ図示の如き極性に充電されることとなる。
【００５０】
図１６〜図１８の駆動方法を用いた場合のディマ５０％のＢ1走査期間からＢ2走査期間への推移の際のＢ1走査期間及びリセット期間の長さは図１５に示したものと同様である。Ｂ1走査期間からリセット期間に移行すると、(ｎ＋１)ｅの電荷の放出が生じる。Ｂ2走査期間では(ｍ−３)ｅの電荷の放電と(ｍ＋ｎ−２)ｅの電荷の充電が同様に行われる。ｍ＝４とすると、Ｂ2走査期間の電荷の放電量はｅ、充電量は(ｎ＋２)ｅとなる。すなわち、図１６〜図１８の動作によって全体として(２ｎ＋４)ｅの電荷消費となり、従来のリセット駆動法に比べて電荷消費を低減させることができる。
【００５１】
図１９〜図２１は本発明の他の実施例を更に示している。この実施例においてディスプレイ装置の構成は図１０及び図１６〜図１８に示した実施例のものと同一である。
また、図１９〜図２１には、発光制御回路１２の制御動作によって陰極線Ｂ1 を走査して素子Ｅ1,1及びＥ2,1を光らせた後、陰極線Ｂ2 に走査を移して素子Ｅ2,2 及びＥ3,2 を光らせる場合のＢ1走査期間、リセット期間及びＢ2走査期間各々の動作状態が示されている。このときの輝度操作部１８から得られた輝度情報がディマ５０％であるとしている。次に、この動作状態について説明する。
【００５２】
先ず、図１９においては、走査スイッチ１５1のみが０Ｖのアース電位側に切り換えられ、陰極線Ｂ1 が走査されている。他の陰極線Ｂ2 〜Ｂn には、走査スイッチ１５2 〜１５n により逆バイアス電位ＶCCが印加されている。同時に、陽極線Ａ1 及びＡ2 には、ドライブスイッチ１６1 及び１６2 によって電流源１７1 及び１７2 が接続されている。また、他の陽極線Ａ3 〜Ａmは、ドライブスイッチ１６3 〜１６mによって０Ｖのアース電位側に切り換えらている。従って、図１６の場合、素子Ｅ1,1 とＥ2,1のみが順方向にバイアスされ、電流源１７1 及び１７2 から矢印のように駆動電流が流れ込み、素子Ｅ1,1及びＥ2,1のみが発光することとなる。この発光状態においては、ハッチングして示される非発光の素子Ｅ3,2〜Ｅm,nは、それぞれ図示の如き極性に充電されることとなる。また、この発光状態は走査期間Ｔの半分の長さの駆動時間Ｔ／２だけ継続される。
【００５３】
この図１９の定常発光状態から駆動時間Ｔ／２が経過すると、次の素子Ｅ2,2 及びＥ3,2 の発光をなす状態に走査を移行する前に、リセット制御が行われる。図２０に示すようにドライブスイッチ１６2，１６3がバイアス電位ＶCCを陽極線Ａ2，Ａ3に印加するように切り換えられ、その他のドライブスイッチ１６1及び１６4 〜１６mはアース電位を陽極線Ａ1及びＡ4〜Ａmに中継供給する。一方、全ての走査スイッチ１５1 〜１５nが逆バイアス電位ＶCC側に切り換えられる。陽極線Ａ2，Ａ3と陰極線Ｂ1 〜Ｂnの全てが電位ＶCCに等しくされる。このリセット制御により、素子Ｅ2,1〜Ｅ3,nの両端がＶCCの同電位となるので、各素子Ｅ2,1及びＥ3,2〜Ｅ3,nに充電されていた電荷は図中の矢印で示すようなルートを通って放電し、それら素子の充電電荷が瞬時のうちに無くなる。素子Ｅ1,1には逆方向に電位ＶCCが印加されて素子Ｅ1,1は図示の如き極性に充電される。また、素子Ｅ4,2〜Ｅm,nの充電状態は継続される。
【００５４】
このようなリセット期間の後、次の水平走査期間が開始されると、今度は図２１に示すように、陰極線Ｂ2 に対応する走査スイッチ１５2のみが０Ｖ側に切り換えられ、陰極線Ｂ2の走査が行われる。これと同時に、ドライブスイッチ１６2及び１６3が電流源１７2及び１７3側に切り換えられて対応の陽極線に接続されるとともに、他のドライブスイッチ１６1，１６4〜１６mはアース電位側に切り換えられ、陽極線Ａ1，Ａ4〜Ａmに０Ｖを与える。従って、図２１の場合、素子Ｅ2,2及びＥ3,2のみが順方向にバイアスされ、電流源１７2及び１７3から矢印のように駆動電流が流れ込み、素子Ｅ2,2及びＥ3,2のみが発光することとなる。この発光状態においては、ハッチングして示される非発光の素子Ｅ1,1、Ｅ1,3〜Ｅ1,n、Ｅ4,1〜Ｅm,1、Ｅ4,3〜Ｅm,nは、それぞれ図示の如き極性に充電されることとなる。
【００５５】
図１９〜図２１の駆動方法を用いた場合のディマ５０％のＢ1走査期間からＢ2走査期間への推移の際のＢ1走査期間及びリセット期間の長さは図１５に示したものと同様である。Ｂ1走査期間からリセット期間に移行すると、ｎｅの電荷の放出と、素子Ｅ1,1における２ｅ分の電荷の充電とが生じる。Ｂ2走査期間では(ｍ−３)ｅの電荷の放電と(ｍ＋ｎ)ｅ−３ｅの電荷の充電が同様に行われる。分かり易くするためにｍ＝４とすると、Ｂ2走査期間の電荷の放電量はｅとなり、電荷の充電量は(ｎ＋１)ｅとなる。すなわち、図１９〜図２１の動作によって全体として２(ｎ＋２)ｅの電荷消費となり、従来のリセット駆動法に比べて電荷消費を低減させることができる。
【００５６】
図２２〜図２５も本発明の他の実施例を更に示している。この実施例においてディスプレイ装置の構成は図１０及び図１２〜図１４に示した実施例のものと同一である。
また、図２２〜図２５には、発光制御回路１２の制御動作によって陰極線Ｂ1 を走査して素子Ｅ1,1及びＥ2,1を光らせた後、陰極線Ｂ2 に走査を移して素子Ｅ2,2 及びＥ3,2 を光らせる場合のＢ1走査期間、リセット期間及びＢ2走査期間各々の動作状態が示されている。このときの輝度操作部１８から得られた輝度情報がディマ５０％であり、更に、ディマ５０％にて素子Ｅ1,1とＥ2,1との階調比が１：１／２となるようにしている。次に、この動作状態について説明する。
【００５７】
先ず、図２２においては、走査スイッチ１５1のみが０Ｖのアース電位側に切り換えられ、陰極線Ｂ1 が走査されている。他の陰極線Ｂ2 〜Ｂn には、走査スイッチ１５2 〜１５n により逆バイアス電位ＶCCが印加されている。同時に、陽極線Ａ1 及びＡ2 には、ドライブスイッチ１６1 及び１６2 によって電流源１７1 及び１７2 が接続されている。また、他の陽極線Ａ3 〜Ａmは、ドライブスイッチ１６3 〜１６mによって０Ｖのアース電位側に切り換えらている。従って、図２２の場合、素子Ｅ1,1 とＥ2,1のみが順方向にバイアスされ、電流源１７1 及び１７2 から矢印のように駆動電流が流れ込み、素子Ｅ1,1及びＥ2,1のみが発光することとなる。この発光状態においては、ハッチングして示される非発光の素子Ｅ3,2〜Ｅm,nは、それぞれ図示の如き極性に充電されることとなる。
【００５８】
図２２の発光開始から走査期間Ｔの１／４の長さＴ／４が経過すると、図２３に示すように、ドライブスイッチ１６2がアース電位側に切り換えられ、ドライブスイッチ１６1の切り換え状態は維持される。また、陰極線Ｂ1 の走査はそのままである。よって、素子Ｅ2,1の両端は共にアース電位であるので、素子Ｅ2,1に充電されていた電荷は図中の矢印で示すようなルートを通って放電する。素子Ｅ2,2〜Ｅ2,n各々には逆バイアス電位ＶCCが印加されるので、素子Ｅ2,2〜Ｅ2,nはそれぞれ図示の如き極性に充電されることとなる。
【００５９】
この図２３の発光状態が時間Ｔ／４だけ継続すると、リセット制御が行われる。図２４に示すように全てのドライブスイッチ１６1 〜１６m 及び全て走査スイッチ１５1 〜１５nが０Ｖのアース電位側に切り換えられ、陽極線Ａ1 〜Ａm と陰極線Ｂ1 〜Ｂnの全てが０Ｖのアース電位に等しくされる。このリセット制御により、陽極線と陰極線の全てが０Ｖの同電位となるので、各素子に充電されていた電荷は図中の矢印で示すようなルートを通って放電し、全ての素子の充電電荷が瞬時のうちに無くなる。
【００６０】
このようにして全ての素子の充電電荷をゼロにした後、次の水平走査期間が開始されると、今度は図２５に示すように、陰極線Ｂ2 に対応する走査スイッチ１５2のみが０Ｖ側に切り換えられ、陰極線Ｂ2の走査が行われる。これと同時に、ドライブスイッチ１６2及び１６3が電流源１７2及び１７3側に切り換えられて対応の陽極線に接続されるとともに、他のドライブスイッチ１６1，１６4〜１６mはアース電位側に切り換えられたままとなり、陽極線Ａ1，Ａ4〜Ａmに０Ｖを与える。従って、図２５の場合、素子Ｅ2,2及びＥ3,2のみが順方向にバイアスされ、電流源１７2及び１７3から矢印のように駆動電流が流れ込み、素子Ｅ2,2及びＥ3,2のみが発光することとなる。この発光状態においては、ハッチングして示される非発光の素子Ｅ1,1、Ｅ1,3〜Ｅ1,n、Ｅ4,1〜Ｅm,1、Ｅ4,3〜Ｅm,nは、それぞれ図示の如き極性に充電されることとなる。
【００６１】
かかる図２２〜図２５の駆動方法を用いた場合のディマ５０％のＢ1走査期間では、図２６に示すように陰極線Ｂ1を走査して素子Ｅ1,1及びＥ2,1を光らせる発光動作が前半の駆動時間Ｔ／４だけ行われ、素子Ｅ1,1だけを光らせる発光動作が後半のＴ／４だけ行われる。これにより、素子Ｅ1,1とＥ2,1との階調比が１：１／２となる。次のリセット期間では、上記したように全ての素子の両端がアース電位に等しくされる。リセット期間は次のＢ2走査期間が開始されるまで継続される。Ｂ2走査期間では陰極線Ｂ2 に走査を移して素子Ｅ2,2 及びＥ3,2 を光らせる。この場合に、Ｂ1走査期間において後半の素子Ｅ1,1だけの発光動作に移行すると、ｅの電荷の放出と、(ｎ−１)ｅの電荷の充電とが生じる。Ｂ1走査期間からリセット期間に移行すると、(ｍ−１)(ｎ−１)ｅ＋ｅの電荷の放出が生じる。Ｂ2走査期間では[２＋(ｍ−２)(ｎ−１)]ｅの電荷の充電が同様に行われる。ｍ＝４とすると、リセット期間における電荷の放出量は(３ｎ−２)ｅ、Ｂ2走査期間の電荷の充電量は２ｎｅとなる。すなわち、図２２〜図２５の動作によって全体として(６ｎ−３)ｅの電荷消費となり、従来のリセット駆動法に比べて電荷消費を低減させることができる。
【００６２】
なお、上記した各実施例においては、ディマ５０％について説明したが、ディマのパーセントについては５０％以外の中間輝度であっても上記した同様の動作によって電荷消費を低減させることができる。
また、ドライブ線及び走査線に印加される電位はアース電位及びバイアス電位ＶCCはこれに限定されることはない。
【００６３】
更に、上記した実施例においては、輝度情報が輝度操作部１８から得られるように構成されているが、入力画像データが示す画素毎の輝度情報を得てそれを用いるようにしても良い。
【００６４】
【発明の効果】
以上の如く、本発明によれば、従来の単純マトリクス表示パネルのリセット駆動法に比べて階調表示で中間輝度の場合に消費電力を低減させることができる。
【図面の簡単な説明】
【図１】有機エレクトロルミネセンス素子の断面図である。
【図２】有機エレクトロルミネセンス素子の等価回路を示す図である。
【図３】有機エレクトロルミネセンス素子の駆動電圧−電流−発光輝度特性を概略的に示す図である。
【図４】従来の有機エレクトロルミネセンス素子を用いたディスプレイ装置に適用されるリセット駆動法を説明するためのブロック図である。
【図５】従来の有機エレクトロルミネセンス素子を用いたディスプレイ装置に適用されるリセット駆動法を説明するためのブロック図である。
【図６】従来の有機エレクトロルミネセンス素子を用いたディスプレイ装置に適用されるリセット駆動法を説明するためのブロック図である。
【図７】従来の有機エレクトロルミネセンス素子を用いたディスプレイ装置の輝度調整を説明する図である。
【図８】走査期間内に接地動作を含む場合のリセット駆動法を説明するためのブロック図である。
【図９】従来のリセット駆動法のタイミングチャートを示す図である。
【図１０】本発明によるディスプレイ装置の概略的構成を示すブロック図である。
【図１１】発光制御回路によって実行される発光制御ルーチンを示すフローチャートである。
【図１２】図１０のディスプレイ装置に適用されるリセット駆動法を説明するためのブロック図である。
【図１３】図１０のディスプレイ装置に適用されるリセット駆動法を説明するためのブロック図である。
【図１４】図１０のディスプレイ装置に適用されるリセット駆動法を説明するためのブロック図である。
【図１５】図１２〜図１４に示したリセット駆動法のタイミングチャートを示す図である。
【図１６】図１０のディスプレイ装置に適用されるリセット駆動法を説明するためのブロック図である。
【図１７】図１０のディスプレイ装置に適用されるリセット駆動法を説明するためのブロック図である。
【図１８】図１０のディスプレイ装置に適用されるリセット駆動法を説明するためのブロック図である。
【図１９】図１０のディスプレイ装置に適用されるリセット駆動法を説明するためのブロック図である。
【図２０】図１０のディスプレイ装置に適用されるリセット駆動法を説明するためのブロック図である。
【図２１】図１０のディスプレイ装置に適用されるリセット駆動法を説明するためのブロック図である。
【図２２】図１０のディスプレイ装置に適用されるリセット駆動法を説明するためのブロック図である。
【図２３】図１０のディスプレイ装置に適用されるリセット駆動法を説明するためのブロック図である。
【図２４】図１０のディスプレイ装置に適用されるリセット駆動法を説明するためのブロック図である。
【図２５】図１０のディスプレイ装置に適用されるリセット駆動法を説明するためのブロック図である。
【図２６】図２２〜図２５に示したリセット駆動法のタイミングチャートを示す図である。
【符号の説明】
１，１３  陰極線走査回路
２，１４  陽極線ドライブ回路
２1 〜２m，１７1 〜１７m 電流源
３  陽極線リセット回路
５1 〜５n，１５1 〜１５n 走査スイッチ
６1 〜６m，１６1 〜１６m ドライブスイッチ
７1 〜７m シャントスイッチ
１１  発光パネル
Ａ1 〜Ａm 陽極線
Ｅ1,1 〜Ｅm,n 有機エレクトロルミネッセンス素子
Ｂ1 〜Ｂn 陰極線
【図１】
0003642463.tif 000002
【図２】
0003642463.tif 000003
【図３】
0003642463.tif 000004
【図４】
0003642463.tif 000005
【図５】
0003642463.tif 000006
【図６】
0003642463.tif 000007
【図７】
0003642463.tif 000008
【図８】
0003642463.tif 000009
【図９】
0003642463.tif 000010
【図１０】
0003642463.tif 000011
【図１１】
0003642463.tif 000012
【図１２】
0003642463.tif 000013
【図１３】
0003642463.tif 000014
【図１４】
0003642463.tif 000015
【図１５】
0003642463.tif 000016
【図１６】
0003642463.tif 000017
【図１７】
0003642463.tif 000018
【図１８】
0003642463.tif 000019
【図１９】
0003642463.tif 000020
【図２０】
0003642463.tif 000021
【図２１】
0003642463.tif 000022
【図２２】
0003642463.tif 000023
【図２３】
0003642463.tif 000024
【図２４】
0003642463.tif 000025
【図２５】
0003642463.tif 000026
【図２６】
0003642463.tif 000027